(57)【特許請求の範囲】
【請求項１】
観察対象物を収納する略直方体で透明の収納体と、上部にこの収納体が装着される枠体とで容器が構成され、
前記枠体は、平面長方形の基板の四隅に立設された支柱を備え、前記支柱の上下中間部内側に前記収納体の底を支持するストッパーが形成され、
前記枠体の前記収納体の底板の下方には下方鏡が配設され、この下方鏡は上縁が軸を介して前記枠体に回動可能に取り付けてあり、
前記枠体の前記下方鏡が取り付けられた支柱と対向する支柱に下面用側方鏡が配設され、この下面用側方鏡は下縁が軸を介して前記枠体に回動可能に取り付けてあり、
前記下方鏡、下面用側方鏡の角度を調整して収納体内の観察対象物の下面を上方から観察できるようにし、
前記収納体には観察対象物を出し入れするための開閉蓋が取り付けられた、観察器具
【請求項２】
枠体の四側にはそれぞれ側方鏡が配設され、この側方鏡は下縁が軸を介して前記枠体に回動可能に取り付けられ、前記下縁の高さは支柱に形成された収納体支持用ストッパーと同等として、収納体内の観察対象物の複数の面を上方から観察できるようにした、請求項1記載の観察器具
【発明の詳細な説明】
【技術分野】
【０００１】
この発明は、昆虫その他の小動物や植物、立体造形物などを観察するための観察器具に関するものである。
【背景技術】
【０００２】
従来、昆虫などの観察は通常肉眼又は虫眼鏡などを用いて行っている。
肉眼による観察であれ虫眼鏡による観察であれ、観察対象物を一方向からしか観察することができない。
【特許文献１】特開２００１−２９００８８号公報
【０００３】
上記特許文献には、観察対象物を収納する容器の底部に鏡を傾斜させて配設し、観察用レンズ２つを用いて、観察対象物の表裏両面を観察できるようにした発明が開示されている。
しかしながら、上記発明においては、観察対象物を裏返すことなくその表裏両面を観察することが可能ではあるものの、表側と裏側とをそれぞれ別個のレンズで観察するものであるから、表裏両面を同時に観察することはできない。
また、二つのレンズによって表裏両面は観察できるものの、正面、背面、側面を観察することはできない。
【発明の開示】
【発明が解決しようとする課題】
【０００４】
この発明は、観察対象物の表裏両面を含む三面ないし五面を同時に観察することのできる観察器具を得ることを課題とするものである。
【課題を解決するための手段】
【０００５】
この発明の観察器具は、観察対象物を収納する略直方体で透明の収納体と、上部にこの収納体が装着される枠体とで容器を構成し、前記枠体は、平面長方形の基板の四隅に立設された支柱を備え、前記支柱の上下中間部内側に前記収納体の底を支持するストッパーを形成し、前記枠体の前記収納体の底板の下方には下方鏡を配設し、この下方鏡は上縁が軸を介して前記枠体に回動可能に取り付け、前記枠体の前記下方鏡が取り付けられた支柱と対向する支柱に下面用側方鏡を配設し、この下面用側方鏡は下縁が軸を介して前記枠体に回動可能に取り付け、前記下方鏡、下面用側方鏡の角度を調整して収納体内の観察対象物の下面を上方から観察できるようにし、前記収納体には観察対象物を出し入れするための開閉蓋を取り付けて構成する。
【０００６】
前記枠体は全周に壁面を設けてもよい。この場合、少なくとも枠体の鏡装着部分は透明とする。
なお、収納体を透明とした趣旨は観察対象物を透視し得るためであるから、上面及び鏡装着部以外の部分は透明とする必要はない。
請求項２の発明は、枠体の四側にはそれぞれ側方鏡を配設し、この側方鏡は下縁を軸を介して前記枠体に回動可能に取り付けたもので、収納体内の観察対象物の複数の面を上方から観察できるようにしたものである。
【発明の効果】
【０００７】
この発明によれば、観察対象物を容器に収納し、各鏡を開いて所望の角度に調整すると、観察対象物の下面（裏面）は下方鏡に反射してこの下方鏡の対向位置にある下面用側方鏡に反射するのでこれを上方から観察することができる。そして、観察対象物の上面（表面）は上方から直接観察することができる。その結果、観察対象物の上面、下面を同時に並べて観察することができる。
また、側方鏡を枠体の４側壁に配設すると、観察対象物の正面、背面、側面もそれぞれ側方鏡に反射して上方から観察することができる。その結果として、観察者は観察対象物の上面、下面、正面、背面、側面を同時に並べて観察することができる。
【発明を実施するための最良の形態】
【０００８】
図において、枠体１とこれに着脱自在に装着される略直方体とした透明の収納体２とで容器３を構成している。そして、容器３にはスライド枠４が装着してある。
【０００９】
前記枠体１は、下部の平面長方形とした基枠５の四隅に支柱６ａ、６ｂ、６ｃ、６ｄ（以下まとめて「６」と表示する場合がある。）を立設した構成で、前記支柱６の上下中間部内側に前記収納体２の底を支持するストッパーが形成してあり、収納体２をストッパーで支持したときに、枠体１の上縁と収納体２の上面とはほぼ面一となる大きさとしてある。
【００１０】
前記枠体１の長縁を挟む２本の支柱６ａ、６ｂ間の前記収納体２の下方には、下方鏡７の上縁が軸を介して回動可能に取り付けてある。また、支柱６ａ、６ｂ間、６ｂ、６ｃ間、６ｃ、６ｄ間、６ｄ、６ａ間の前記収納体２の上方にはそれぞれ側方鏡８ａ、８ｂ、８ｃ、８ｄ（以下まとめて「８」と表示する場合がある。）の下縁がそれぞれ軸を介して回動可能に取り付けてある。前記各鏡の取り付け軸の高さ位置は、前記収納体２の底板を支持するストッパーの高さ位置と同等としてある。
前記支柱６ｃ、６ｄ間には、前記下方鏡７に対向して下面用側方鏡９の下縁が軸を介して回動可能に取り付けてある。この下面用側方鏡９の取付軸の高さ位置は、この側方鏡９を外向きに傾斜させたときに前記下方鏡７に反射した光を受けることのできる高さとしてある。
なお、前記側方鏡９はその上方の側方鏡８ｃよりも幅狭としてある。
【００１１】
前記下方鏡７は、枠体１の内側となる面を鏡面とし、不使用時には下方へ回動させて前記支柱６の外側面とほぼ面一となり、使用時には上方へ回動させて前記収納体２に収納された観察対象物の下面を反射できるようにしてある。
前記各側方鏡８，下面用側方鏡９は、枠体１の内側となる面を鏡面とし、不使用時には上方へ回動させて前記支柱６外面とほぼ面一となり、使用時に外側に回動させて光を上方へ反射できるようにしてある。
【００１２】
なお、上記において下面用側方鏡９の上方に位置する側方鏡８ｃは必須ではない。
【００１３】
前記収納体２は透明な容器であり、上部に開閉自在な蓋１０が装着してある。
【００１４】
前記スライド枠４は、前記枠体１に摺動自在に装着される大きさの平面長方形で、所定高さの周壁１１ａ,１１ｂ、１１ｃ、１１ｄを有する。
前記周壁のうち下面用側方鏡９に対応する面１１ｃは上部が大きな開口部１２が形成してあり、この開口部１２から前記下面用側方鏡９が外側へ突出できるようにしてある。そして、前記開口部１２の両側縁１３は、このスライド枠４を上方へ移動させたときに側方鏡８ｃに係止し、その外側への回動を阻止し得るようにしてある（側方鏡８ｃは側方鏡９よりも幅が広い）。
前記スライド枠４の両端縁側の周壁１１ｂ、１１ｄには肩掛け用のベルト１４が取り付けてある。
【００１５】
図５はこの観察用具と組み合わされる虫眼鏡１５である。
【００１６】
以下、この観察用具の使用方法を説明する。
不使用時若しくは携帯時には、スライド枠４を容器３の上方へ移動させて、各鏡が開かないような状態とする。使用時にはスライド枠４を下方へ移動させて各鏡が自由に回動できるようにする。
【００１７】
容器３から収納体２を取り外して、この中に昆虫その他の観察対象物を収納する。必要により、観察対象物を透明な小箱に入れた上で収納体２に収納する。
次いで、各鏡を回動させる。すなわち、下方鏡７を枠体１の内側へ向けて回動させて収納体２内の観察対象物の下面が写るように角度を調整する。側方鏡８ｃ以外の側方鏡８を外側に回動させて収納体２内の観察対象物の正面、背面、側面が写り上方から観察できるように角度を調整する。下面用側方鏡９を外側に回動させて前記下方鏡７に写った観察対象物が反射して上方から観察できるように角度を調整する。
以上のように各鏡の角度を調整すると、上方から観察することにより観察対象物の上面、下面、正面、背面、側面を一度に観察することができる（図６）。
また、前記側方鏡８ｃを外側に回動させると、観察対象物の下面の観察はできないが左右両側面を同時に観察することが可能となる。
【産業上の利用可能性】
【００１８】
この発明によれば、観察対象物の上面、下面、正面、背面、側面を同時に観察することができるものであり、学習目的の観察器具として有益であり、産業上の利用可能性を有するものである。
【図面の簡単な説明】
【００１９】
【図１】この発明実施形態の斜視図
【図２】同じく枠体の斜視図
【図３】同じく枠体の鏡を回動させた状態の断面図
【図４】同じくスライド枠の斜視図
【図５】同じく虫眼鏡の斜視図
【図６】この発明実施形態により昆虫を観察したときに観察できる態様の説明図
【符号の説明】
【００２０】
１    枠体
２    収納体
３    容器
４    スライド枠
５    基枠
６    支柱
７    下方鏡
８    側方鏡
９    下面用側方鏡
１０  蓋
１１  周壁
１２  開口部
１３  側縁
１４  ベルト
１５  虫眼鏡
【図２】
0004564859.tif 000002
【図３】
0004564859.tif 000003
【図４】
0004564859.tif 000004
【図５】
0004564859.tif 000005
【図６】
0004564859.tif 000006
【図１】
0004564859.tif 000007